(57)【要約】【課題】簡易な構成で洗剤の投入性能を向上させ、かつ、粉末洗剤の飛び散りを防止し、注水流量が低流量の場合でも、洗剤ケースの粉末洗剤溶け残りが生じにくい洗濯機を提供することを目的とする。【解決手段】洗濯機の上部を構成し衣類の投入を行う投入口６２１を有する上筐体６２０と、投入口６２１の後部に形成された給水ユニット３００と、給水ユニット３００の一部を構成し投入口６２１の後部から引き出し自在に形成された洗剤ケース４００と、給水ユニット３００の一部を構成し洗剤ケース４００に水を供給する流路構造部３２０とを備え、洗剤ケース４００は、投入口６２１側に形成され粉末洗剤を投入する粉末洗剤ケース４１０と、粉末洗剤ケース４１０の後方に、液体洗剤を投入する液体洗剤ケース４２０と、柔軟剤を投入する柔軟剤ケース４３０とを、横に並べて設けたものである。【選択図】図１
2020171395.tif 000002
【特許請求の範囲】
【請求項１】
洗濯機の上部を構成し衣類の投入を行う投入口を有する上筐体と、前記投入口の後部に形成された給水ユニットと、前記給水ユニットの一部を構成し前記投入口の後部から引き出し自在に形成された洗剤ケースと、前記給水ユニットの一部を構成し前記洗剤ケースに水を供給する流路構造部と、前記投入口を介して衣類が投入され前記衣類を洗濯する洗濯動作を行う洗濯槽と、を備え、
前記洗剤ケースは、前記投入口側に形成され粉末洗剤を投入する粉末洗剤ケースと、前記粉末洗剤ケースの後方に、液体洗剤を投入する液体洗剤ケースと、柔軟剤を投入する柔軟剤ケースとを、横に並べて設けた洗濯機。
【請求項２】
前記粉末洗剤ケースは、上端が楕円状に形成され大きな曲線で囲われた壁を形成し、底面部と前記壁とは、高低差をつけたすり鉢形状とし、前記液体洗剤ケースと、前記柔軟剤ケースとの間に設けられ、前記給水ユニットからの注水を後方向へ排出する狭流路を設けた請求項１に記載の洗濯機。
【請求項３】
前記狭流路の両側は、前記液体洗剤ケースの側壁と、前記柔軟剤ケースの側壁で形成された請求項２に記載の洗濯機。
【請求項４】
前記給水ユニットには、前記洗剤ケースに注水する第１注水経路を備え、前記第１注水経路は、前記粉末洗剤ケースの外周の高壁に、楕円形状に沿って注水する複数の第１孔部を備えた請求項２または３に記載する洗濯機。
【請求項５】
前記狭流路の後端は、前記柔軟剤ケースまたは前記液体洗剤ケースの後方に回り込むように、リブにて屈曲部を設け、その先端にスリット部を設けた請求項２〜４のいずれか１項に記載の洗濯機。
【発明の詳細な説明】
【技術分野】
【０００１】
本発明は、衣類を洗濯する洗濯機に関するものである。
【背景技術】
【０００２】
全自動洗濯機において、近年、洗剤の種類が増え、使用者が容易に洗剤や柔軟剤を洗濯機に投入できるよう洗濯機上部に引き出し式洗剤ケースを備える機構が増加している。本機構において、粉末洗剤、液体洗剤、柔軟剤と、各容器を横並びに設け、スリーインワン構成とするのが主流である。
【０００３】
しかし、全自動洗濯機の構成上、限られた面積内で上記要求を満たすため、各容器の容積は狭く、四角の縦長構成となるのが一般的である。狭い容積で構成するため、各容器は、洗剤投入時、互いに隣接する容器に異なる剤を溢してしまう問題を生じる。
【０００４】
また、洗剤を溶解する場合、注水経路も限定され、注水時、飛び散った洗剤をすべて溶かしきることが困難であり、低流量時の注水では、十分に水が当たらないため、洗剤の溶け残りを誘発する。
【先行技術文献】
【特許文献】
【０００５】
【特許文献１】特開２０１７−０００３１２号公報
【発明の概要】
【発明が解決しようとする課題】
【０００６】
そこで、簡易な構成で洗剤の投入性能を向上させ、かつ、粉末洗剤の飛び散りを防止し、注水流量が低流量の場合でも、洗剤ケースの粉末洗剤溶け残りが生じにくい洗濯機を提供することを目的とする。
【課題を解決するための手段】
【０００７】
前記従来の課題を解決するために、本発明の洗濯機は、洗濯機の上部を構成し衣類の投入を行う投入口を有する上筐体と、前記投入口の後部に形成された給水ユニットと、前記給水ユニットの一部を構成し前記投入口の後部から引き出し自在に形成された洗剤ケースと、前記給水ユニットの一部を構成し前記洗剤ケースに水を供給する流路構造部と、前記投入口を介して衣類が投入され前記衣類を洗濯する洗濯動作を行う洗濯槽と、を備え、前記洗剤ケースは、前記投入口側に形成され粉末洗剤を投入する粉末洗剤ケースと、前記粉末洗剤ケースの後方に、液体洗剤を投入する液体洗剤ケースと、柔軟剤を投入する柔軟剤ケースとを横に並べて設けたものである。
【発明の効果】
【０００８】
本発明によれば、簡易な構成で洗剤の投入性能を向上させ、かつ、粉末洗剤の飛び散りを防止し、注水流量が低流量の場合でも、洗剤ケースの粉末洗剤溶け残りが生じにくい洗濯機を提供できる。
【図面の簡単な説明】
【０００９】
【図１】本発明の実施の形態１における洗濯機の概略的な斜視図
【図２】同洗濯機の上筐体および蓋体の斜視図
【図３】同洗濯機の模式的な構造図
【図４】同洗濯機の給水ユニットの斜視図
【図５】同洗濯機の給水ユニットの分解斜視図
【図６】同洗濯機の給水ユニットの流路蓋部を除いた平面図
【図７】同洗濯機の給水ユニットの流路構造部を除いた平面図
【図８】同洗濯機の給水ユニットの流路構造部および洗剤ケースを除いた平面図
【図９】図７のＡ−Ａ断面図
【図１０】同洗濯機の洗剤ケースの上面図
【図１１】（ａ）図１０のＢ−Ｂ断面図（ｂ）図１０のＣ−Ｃ断面図
【発明を実施するための形態】
【００１０】
第１の発明は、洗濯機の上部を構成し衣類の投入を行う投入口を有する上筐体と、前記投入口の後部に形成された給水ユニットと、前記給水ユニットの一部を構成し前記投入口の後部から引き出し自在に形成された洗剤ケースと、前記給水ユニットの一部を構成し前記洗剤ケースに水を供給する流路構造部と、前記投入口を介して衣類が投入され前記衣類を洗濯する洗濯動作を行う洗濯槽と、を備え、前記洗剤ケースは、前記投入口側に形成され粉末洗剤を投入する粉末洗剤ケースと、前記粉末洗剤ケースの後方に、液体洗剤を投入する液体洗剤ケースと、柔軟剤を投入する柔軟剤ケースとを、横に並べて設けた洗濯機とすることにより、簡易な構成で洗剤の投入性能を向上させ、かつ、粉末洗剤の飛び散りを防止し、注水流量が低流量の場合でも、洗剤ケースの粉末洗剤溶け残りが生じにくい洗濯機を提供できる。
【００１１】
第２の発明は、特に、第１の発明の前記粉末洗剤ケースは、上端が楕円状に形成され大きな曲線で囲われた壁を形成し、底面部と前記壁とは、高低差をつけたすり鉢形状とし、前記液体洗剤ケースと、前記柔軟剤ケースとの間に設けられ、前記給水ユニットからの注水を後方向へ排出する狭流路を設けた洗濯機とすることにより、粉末洗剤の飛び散りを防止し、注水流量が低流量の場合でも、洗剤ケースの粉末洗剤溶け残りが生じにくい洗濯機を提供できる。
【００１２】
第３の発明は、特に、第２の発明の前記狭流路の両側は、前記液体洗剤ケースの側壁と、前記柔軟剤ケースの側壁で形成された洗濯機とすることにより、粉末洗剤の飛び散りを防止し、注水流量が低流量の場合でも、洗剤ケースの粉末洗剤溶け残りが生じにくい洗濯機を提供できる。
【００１３】
第４の発明は、特に、第２または第３の発明の前記給水ユニットには、前記洗剤ケースに注水する第１注水経路を備え、前記第１注水経路は、前記粉末洗剤ケースの外周の高壁に、楕円形状に沿って注水する複数の第１孔部を備えた洗濯機とすることにより、粉末洗剤の飛び散りを防止し、注水流量が低流量の場合でも、洗剤ケースの粉末洗剤溶け残りが生じにくい洗濯機を提供できる。
【００１４】
第５の発明は、特に、第２〜第４のいずれか１つの発明の前記狭流路の後端は、前記柔軟剤ケースまたは前記液体洗剤ケースの後方に回り込むように、リブにて屈曲部を設け、その先端にスリット部を設けた洗濯機とすることにより、粉末洗剤ケースに異物が入り込んだとしても、屈曲部およびリブにて、異物を確保することができ、異物が洗濯槽に流れ込むのを防止することができる。
【００１５】
添付の図面を参照して、例示的な洗濯機が以下に説明される。洗濯機は、以下の説明によって、明確に理解可能である。「上」、「下」、「左」や「右」といった方向を表す用語は、単に、説明の明瞭化を目的とする。したがって、これらの用語は、限定的に解釈されるべきものではない。洗濯機能に付随した様々な機能は、後述の実施形態の原理を何ら限定しない。
【００１６】
（実施の形態１）
（洗濯機の構造）
図１は、本発明の実施の形態１における洗濯機の概略的な斜視図、図２は、同洗濯機の上筐体および蓋体の斜視図、図３は、同洗濯機の模式的な構造図である。
【００１７】
図１、図２を参照して、洗濯機１００が説明される。なお、本実施形態に係る洗濯機１００は、衣類を洗浄する洗濯機能だけでなく、乾燥機能を有する。他の実施形態において、洗濯機１００は乾燥機能を有さない態様でもよい。
【００１８】
洗濯機１００は、筐体６００と、蓋体７００と、操作パネル部８００と、を備える。
【００１９】
筐体６００には、洗濯機１００の洗浄および乾燥動作のためのさまざまな部材が収容されている。筐体６００は、略直方体形状からなる。筐体６００は、下筐体６１０と、上筐体６２０と、を含む。上筐体６２０は、下筐体６１０の上方に配置される。下筐体６１０内には、洗濯槽５００が収容される。洗濯槽５００は、上方が開口された円筒体であり、衣類を洗浄する洗浄動作を行う。洗浄動作は、既知の様々な洗濯機の洗濯槽が行う動作であってもよい。本実施形態の原理は、洗濯槽５００によって実行される特定の洗浄動作に限定されない。
【００２０】
蓋体７００は、上筐体６２０に取り付けられる。蓋体７００は、上筐体６２０上で上下に回動する。図１、図２に示される如く、使用者は、蓋体７００を上方に回動することができる。上筐体６２０には、投入口６２１が形成される。使用者が、蓋体７００を上方に回動すると、洗濯槽５００は、投入口６２１を通じて露出する。使用者は、衣類を、投入口６２１を通じて、洗濯槽５００へ投入することができる。
【００２１】
また、洗濯機１００は、洗濯槽カバー５１０を備える。洗濯槽カバー５１０は、洗濯槽５００の上方を覆うように、洗濯槽５００に対して回動可能に配置される。図１では、洗濯槽カバー５１０が閉状態とされ、洗濯槽５００が封止されている。この状態では、洗濯機１００において乾燥動作が実行可能とされる。一方、使用者が投入口６２１を介して洗濯槽５００に衣類を投入する際には、洗濯槽カバー５１０の後端側に配置された不図示の支点部を支点として、洗濯槽カバー５１０の前端側が上方に回動する。この結果、洗濯槽５００が投入口６２１に連通する。
【００２２】
操作パネル部８００は、上筐体６２０のうち投入口６２１の後方に配置される。使用者は、操作パネル部８００を操作し、洗濯槽５００の様々な動作を設定することができる。
【００２３】
（給水構造）
図３を参照して、洗濯機１００は、給水口２００と、給水ユニット３００と、洗剤ケース４００とを備える。使用者は、水を、給水口２００から洗濯機１００に供給することができる。水は、給水ユニット３００及び洗剤ケース４００を順次通過し、洗濯槽５００へ至る。
【００２４】
洗剤ケース４００は、水と洗剤とから洗剤液を生成する。洗剤ケース４００は、取手部４４０（図１、図２）を備える。洗剤ケース４００の取手部４４０は、投入口６２１に臨む。したがって、使用者は、蓋体７００を上方に回動し、洗剤ケース４００にアクセスすることができる。
【００２５】
洗剤ケース４００は、更に、粉末洗剤ケース４１０と、漂白剤ケース４２０と、柔軟剤ケース４３０とを含む。使用者は、粉末洗剤ケース４１０に粉末洗剤を収容することができる。使用者は、漂白剤ケース４２０に漂白剤を収容することができる。使用者は、柔軟
剤ケース４３０に柔軟剤や衣類の繊維に作用する他の仕上剤を収容することができる。なお、洗剤ケース４００の構造については、後記で更に詳述する。
【００２６】
給水ユニット３００は、給水弁３１０と、流路構造部３２０と、を含む。給水ユニット３００は、洗剤液を洗濯槽５００に流下させる機能を備える。給水弁３１０は、水の経路を、粉末洗剤ケース４１０及び漂白剤ケース４２０へ向かう第１経路ＦＰと柔軟剤ケース４３０へ向かう第２経路ＳＰとの間で切り替える。本実施形態では、給水口２００から給水される上水道の水圧が変化した場合であっても、給水弁３１０は、毎分５リットルから１５リットルの範囲で第１経路ＦＰまたは第２経路ＳＰに水を供給する。
【００２７】
流路構造部３２０は、洗剤ケース４００の粉末洗剤ケース４１０及び漂白剤ケース４２０へ水を供給するための流路を規定する。給水弁３１０が、第１経路ＦＰを開くと、水は、流路構造部３２０を通じて、粉末洗剤ケース４１０及び漂白剤ケース４２０へ供給される。この結果、粉末洗剤ケース４１０内の粉末洗剤及び漂白剤ケース４２０内の漂白剤は、水と混合される。粉末洗剤及び液体洗剤は、水とともに、洗濯槽５００へ供給される。洗濯槽５００は、粉末洗剤及び液体洗剤の水溶液中で衣類を攪拌し、衣類を洗浄することができる。
【００２８】
一方、給水弁３１０が、第２経路ＳＰを開くと、水は、柔軟剤ケース４３０へ供給される。柔軟剤ケース４３０内の仕上剤は、水と混合される。仕上剤は、水とともに、洗濯槽５００へ供給される。洗濯槽５００は、仕上剤の水溶液中で衣類を濯ぎ、衣類に所望の特性（例えば、柔軟性）を与えることができる。
【００２９】
（給水ユニットの構造）
図４は、本発明の実施の形態１における洗濯機の給水ユニット３００の斜視図、図５は、同洗濯機の給水ユニットの分解斜視図である。
【００３０】
給水ユニット３００は、ハウジング２５０を備える。ハウジング２５０は、給水ユニット３００の本体部分であって、図４に示すように略直方体形状からなる。更に、給水ユニット３００は、それぞれハウジング２５０の後端部に装着された第１導水筒３１１と、第２導水筒３１２と、第３導水筒３１３と、バスポンプ３１４と、ハウジング２５０の下方部分に装着された排水経路５５０とを備える。本実施形態において、排出部は、排水経路５５０によって例示される。
【００３１】
給水口２００から給水される上水道は、第１導水筒３１１、第２導水筒３１２および第３導水筒３１３に連通している。第１導水筒３１１は、図３を参照して説明された第１経路ＦＰの上流端であってもよい。第２導水筒３１２は、図２を参照して説明された第２経路ＳＰの上流端であってもよい。第３導水筒３１３は、給水ユニット３００内において、第１導水筒３１１および第２導水筒３１２とは異なる経路に水を導通させる。図３を参照して説明された給水弁３１０は、第１導水筒３１１及び第２導水筒３１２に取り付けられる。給水弁３１０が、第１導水筒３１１を開いている間、第２導水筒３１２は閉じられる。給水弁３１０が、第２導水筒３１２を開いている間、第１導水筒３１１は閉じられる。洗濯槽５００において洗剤を用いた洗浄動作が実行される場合、第１導水筒３１１が開かれる。また、洗濯槽５００において、すすぎ動作が実行される場合、第２導水筒３１２が開かれる。なお、すすぎ動作が実行される場合、第１導水筒３１１および第２導水筒３１２が交互に開かれてもよい。
【００３２】
バスポンプ３１４は、第１経路ＦＰに連通されている。バスポンプ３１４は、不図示の風呂水給水口に連結され、風呂水を洗剤ケース４００に給水する。
【００３３】
図５を参照して、流路構造部３２０は、流路蓋部３４０と、内部に流路３５０を形成した流路形成部３６０を備える。流路構造部３２０は、流路蓋部３４０と流路形成部３６０とを熱溶着することにより密閉して形成されている。
【００３４】
（流路形成部・流路の構造）
図６は、本発明の実施の形態１における洗濯機の給水ユニットの流路蓋部を除いた平面図である。
【００３５】
流路形成部３６０は、収容箱３３０の上方部分を画定する。流路形成部３６０は、流路３５０を備える。流路３５０は、給水弁３１０の第１導水筒３１１から給水される第１流路３５１と、第１孔部３７１を介して第２流路３５２を備え、粉末洗剤ケース４１０に注水する第２孔部３７２とを備える。また、第１孔部３７１を介さず、第３流路３５３を通過して、漂白剤ケース４２０に注水する第３孔部３７３と、第４流路３５４を通過して、流路形成部３６０の底面から下方に延長して形成され排水経路５５０に射出する突出部３７０の先端に形成された（図９参照）第４孔部３７４と、乾燥ユニットへ注水する第５孔部３７５を備える。そして、給水弁３１０の第２導水筒３１２から給水される第５流路３５５を備え、柔軟剤ケース４３０に注水する第６孔部３７６と粉末洗剤ケース４１０に注水する第７孔部３７７とを備える。さらに、バスポンプ３１４が吸い上げた水が通過する第６流路３５６を備え、第８孔部３７８を備える。
【００３６】
（ハウジングの構造）
図７は、本発明の実施の形態１における洗濯機の給水ユニットの流路構造部を除いた平面図、図８は、同洗濯機の給水ユニットの流路構造部および洗剤ケースを除いた平面図、図９は、図７のＡ−Ａ断面図である。
【００３７】
ハウジング２５０は、流路構造部３２０と収容箱３３０とを爪嵌合および／またはビス止めにより構成される。洗剤ケース４００は後方に向かって収容箱３３０に設けられたケース挿入部３３１に装着される。このため、ケース挿入部３３１（収容箱３３０）の前面部分は開口されている。収容箱３３０には、流路構造部３２０および／または洗剤ケース４００から、洗剤液および／または水が流入する。そして、本実施形態では、収容箱３３０の下方部分が、流水部として機能する。
【００３８】
収容箱３３０は、洗剤ケース４００の下方に排水経路５５０を備えており、排水経路５５０は、収容箱３３０の第１流水部３３３および第２流水部３３４から水または洗剤液を受け取り、洗濯槽５００に向かって排出する。排水経路５５０は、蛇腹部５５１と、排水口５５２と、逆止弁５５３とを備える。蛇腹部５５１は、排水経路５５０の上流側部分に配置される。排水口５５２は、排水経路５５０の下流側部分に配置され、水または洗剤液が下方に向かって排出される。なお、排水口５５２は、洗濯槽カバー５１０（図１）の後方に配置され、洗濯槽５００に直接連通している。逆止弁５５３は、排水口５５２において開閉可能に配置された弁である。洗濯槽５００において乾燥動作が実行されると、洗濯槽５００内の圧力によって逆止弁５５３が閉じられる。一方、給水ユニット３００から洗濯槽５００に向かって水が給水される際には、水の圧力によって逆止弁５５３が開放される。なお、逆止弁５５３の周辺では、水の流れの経路において部分的に断面積が縮小されている。収容箱３３０内の水は、収容箱３３０の第１流水部３３３および第２流水部３３４から、蛇腹部５５１、排水口５５２、逆止弁５５３を通って、洗濯槽５００に流れ込む。
【００３９】
（洗剤ケースの構造）
図１０は、本発明の実施の形態１における洗濯機の洗剤ケースの上面図、図１１（ａ）は、図１０のＢ−Ｂ断面図、図１１（ｂ）は、図１０のＣ−Ｃ断面図である。
【００４０】
図９〜図１１を参照して、説明する。洗剤ケース４００は、取手部４４０を備え、取手部４４０を引っ張ることで、収容箱３３０より取り出すことができる。洗剤ケース４００には、粉末洗剤ケース４１０を前面に備え、粉末洗剤ケース４１０の背面左右に、漂白剤ケース４２０と、柔軟剤ケース４３０を備える。
【００４１】
粉末洗剤ケース４１０の上端縁は、楕円形状４１１となっており、４辺の角部Ｒ形状４１３は、いずれも大きな弧を描く。粉末洗剤ケース４１０は、高低差があり、粉末洗剤を投入する底面と比較して、楕円形状４１１は、急勾配の高壁４１２に囲まれている。
【００４２】
粉末洗剤ケース４１０の後方に漂白剤ケース４２０と、柔軟剤ケース４３０を左右に備え、その間を通すように狭流路４１４を備えている。狭流路４１４の左右に狭流路壁４１５が設けられている。
【００４３】
漂白剤ケース４２０は、漂白剤蓋部４２１と、漂白剤円管形状４２２と、で構成されており、漂白剤蓋部４２１と、漂白剤円管形状４２２と嵌合し、サイフォン形状を構成するとで、給水時に漂白剤ケース４２０が水で満たされたときに、漂白剤ケース４２０内から剤が流れ出る構成となる。
【００４４】
同様に、図９に示すように、柔軟剤ケース４３０は、柔軟剤蓋部４３１と、柔軟剤蓋円管形状４３２と、で構成されており、柔軟剤蓋部４３１と、柔軟剤蓋円管形状４３２と嵌合し、サイフォン形状を構成することで、給水時に第２導水筒３１２から給水され、柔軟剤ケース４３０が水に満たされたときに、柔軟剤ケース４３０から剤が流れ出る構成となる。洗濯シーケンスの中ですすぎ時に柔軟剤が投入するよう第２導水筒３１２をＯＮし、柔軟剤ケース４３０へ注水するタイミングは調整される。
【００４５】
粉末洗剤ケース４１０および狭流路４１４の底面は、前方から後方に向かって低くなるよう勾配をつけている。粉末洗剤を流しやすくするためである。なお、狭流路４１４の後端は、柔軟剤ケース４３０の後方に回り込むように、リブ４１６にて屈曲部４１７を設け、その先端にスリット部４１８を設けている。洗剤液は、リブ４１６を乗り越え、また、スリット部４１８より収容箱３３０内に落下する。なお、給水停止後は、スリット部４１８より、水は落下するので、水の溜まり残りが発生することはない。
【００４６】
また、狭流路４１４の後端は、柔軟剤ケース４３０の後方に回り込むように、リブ４１６にて屈曲部４１７を設けているので、粉末洗剤ケース４１０に異物（例えば、ヘアピン等）が入り込んだとしても、屈曲部４１７およびリブ４１６にて、異物を確保することができ、異物が収容箱３３０、排水経路５５０および洗濯槽５００に流れ込むのを防止することができる。
【００４７】
なお、本実施の形態では、狭流路４１４の後端が、柔軟剤ケース４３０の後方に回り込むように形成したが、狭流路４１４の後端が、漂白剤ケース４２０の後方に回り込むように形成しても、同等の効果を有することができる。
【００４８】
（水の流れのしくみ）
給水ユニット３００へ水の流れを説明する。
【００４９】
洗いの工程において、給水弁３１０の駆動により第１導水筒３１１が開かれ、第１経路ＦＰに水が流入する。第１経路ＦＰから流入した水は、第１流路３５１を通過し、第１孔部３７１より流量を絞られ、第２流路３５２へと給水される。
【００５０】
第２流路３５２を通過した水は、高壁４１２の上方に形成された第２孔部３７２の５箇所より粉末洗剤ケース４１０へ注水される。粉末洗剤ケース４１０へ投入された粉末洗剤は、粉末洗剤ケース４１０の楕円形状４１１の高壁４１２の上方より注水される水によって粉末洗剤ケース４１０の中央部へ集約されながら、溶解される。注水時の流量が強く、注水圧が高くなるとき、粉末洗剤は、注水圧によって四方角部へ飛び散るが、粉末洗剤ケース４１０には角部Ｒ形状４１３を大きく構成しており、かつ第２孔部３７２より楕円形状４１１の外周部に向かって注水することから、角部への溶け残りを防止する効果を得る。
【００５１】
また、粉末洗剤は、粉末洗剤ケース４１０の中央へ集約されながら、排水経路として、狭流路４１４へ排出される。狭流路４１４は、粉末洗剤ケース４１０の楕円形状４１１と比較して、流路面積が狭く、周りを囲む高壁４１２、狭流路壁４１５は、高く、注水によって溜まった水は、高い位置エネルギーを利用して、狭流路壁４１５へ流れ込む。狭流路壁４１５では、製品背面に向かって一定速度で排水することから、粉末洗剤ケース４１０の底面に溜まる粉末洗剤も一定の流れ方向に沿って溶解、移動するため、低流量下においても溶け残りが少ない構成となる。
【００５２】
次に、第１流路３５１を通過し、第１孔部３７１を通過しなかった水は、第３流路３５３と第４流路３５４と分流する。第３流路３５３へ流れる水は、第３孔部３７３から洗剤ケース４００の漂白剤ケース４２０へ注水する。漂白剤ケース４２０では、第３孔部３７３からの注水により水が満たされ、漂白剤蓋部４２１から構成されるサイフォン円管形状によって、収容箱３３０背面部の排水経路５５０に向かって排水される。
【００５３】
第４流路３５４へ分流された水は、乾燥経路へと繋がる第５孔部３７５へ注水され、図面不記載の熱交換器を通過し、熱交換器に溜まるゴミや埃を洗い流す。同時に突出部３７０の先端に形成された第４孔部３７４へも注水され、排水経路５５０へ射出される。排水経路５５０に射出された水は、第６孔部３７６より高低差をつけて射出されるため、射出圧は、その他の孔と比較して、高くなり、開放状態の排水経路５５０へ速度が上昇して射出される。
【００５４】
第４流路３５４から突出部３７０に落下することで、速度が上昇して射出される第４孔部３７４からの水は、粉末洗剤ケース４１０より溶解されて流れた洗剤液と泡立空間３３２（排水経路５５０および収容箱３３０の底部）にて、衝突、攪拌されることで、空気を含み、泡立ちが発生する。泡立った洗剤液は、蛇腹部５５１、排水口５５２、逆止弁５５３を通過し、洗濯槽５００へ投入される。泡立った洗剤液は、洗濯槽５００に入った衣類に直接降りかかる。泡によって界面活性剤の表面積を拡大したことで、衣類の汚れに界面活性剤の付着する確立を上げ、より早く汚れ落ちへの効果を高める。
【００５５】
なお、第４孔部３７４から噴出される水の流速は、主に突出部３７０の内部空間に貯留される水の量で決定される。仮に、給水弁３１０から給水される水道水の流量が変動した場合であっても、水は、第４流路３５４から突出部３７０に落下して第４孔部３７４から噴出されることで、泡立空間３３２の洗剤液に対して安定した攪拌力が与えられる。また、線状に噴出される水の力で洗剤液が攪拌されるため、攪拌機能に多量の水を消費することがない。
【００５６】
次に、すすぎの工程において、給水弁３１０の駆動により第２導水筒３１２が開かれ、第２経路ＳＰに水が流入する。第２導水筒３１２より給水された水は、第５流路３５５を通過して、第６孔部３７６および第７孔部３７７へと注水される。そして、第６孔部３７６から洗剤ケース４００の柔軟剤ケース４３０へ、第７孔部３７７から粉末洗剤ケース４１０に注水する。柔軟剤ケース４３０では、第７孔部３７７からの注水により水が満たさ
れ、柔軟剤蓋部４３１から構成されるサイフォン円管形状によって、収容箱３３０背面部の排水経路５５０に向かって排水される。
【００５７】
第２導水筒３１２を駆動することで、第１導水筒３１１との切り替えが可能であり、洗濯槽５００への洗剤液と柔軟剤の混在を避けることができる。第１導水筒３１１により衣類の洗い、すすぎの工程までを行い、衣類への洗剤液残りをなくした後に、最終のすすぎの工程で第２導水筒３１２を起動し、柔軟剤を洗濯槽５００へ投入し、仕上がり効果を上げることが可能となる。
【００５８】
バスポンプ３１４は、風呂水等の溜まった水を再利用するために用いられる。最初に、給水弁３１０より第１導水筒３１１を起動し、呼び水と呼ばれるバスポンプ内へ水を充填させ、バスポンプ回転子の空回りを防止し、溜まった水を吸い上げることが可能となる。呼び水が充填された後、バスポンプ３１４は、回転子の駆動により溜まった水を吸い上げる。
【００５９】
吸い上げた水は、第６流路３５６を通過し、第８孔部３７８より注水される。洗剤ケース４００内の粉末洗剤ケース４１０へ注水され、洗剤を溶解、排水経路５５０へ排水される。
【００６０】
なお、上記実施の形態では、漂白剤を投入する漂白剤ケース４２０と記載したが、漂白剤だけにとどまらず、液体洗剤を投入する液体洗剤投入ケースであってもよい。
【産業上の利用可能性】
【００６１】
本実施形態の原理は、洗濯機能を有するさまざまな装置に好適に利用される。
【符号の説明】
【００６２】
１００  洗濯機
２００  給水口
２５０  ハウジング
３００  給水ユニット
３１０  給水弁
３１１  第１導水筒
３１２  第２導水筒
３１３  第３導水筒
３１４  バスポンプ
３２０  流路構造部
３３０  収容箱
３３１  ケース挿入部
３３２  泡立空間
３３３  第１流水部
３３４  第２流水部
３４０  流路蓋部
３５０  流路
３５１  第１流路
３５２  第２流路
３５３  第３流路
３５４  第４流路
３５５  第５流路
３５６  第６流路
３６０  流路形成部
３７０  突出部
３７１  第１孔部
３７２  第２孔部
３７３  第３孔部
３７４  第４孔部
３７５  第５孔部
３７６  第６孔部
３７７  第７孔部
３７８  第８孔部
４００  洗剤ケース
４１０  粉末洗剤ケース
４１１  楕円形状
４１２  高壁
４１３  角部Ｒ形状
４１４  狭流路
４１５  狭流路壁
４１６  リブ
４１７  屈曲部
４１８  スリット部
４２０  漂白剤ケース（液体洗剤ケース）
４２１  漂白剤蓋部
４２２  漂白剤円管形状
４３０  柔軟剤ケース
４３１  柔軟剤蓋部
４３２  柔軟剤蓋円管形状
４４０  取手部
５００  洗濯槽
５１０  洗濯槽カバー
５５０  排水経路
５５１  蛇腹部
５５２  排水口
５５３  逆止弁
６００  筐体
６１０  下筐体
６２０  上筐体
６２１  投入口
７００  蓋体
８００  操作パネル部
【図１】
2020171395.tif 000003
【図２】
2020171395.tif 000004
【図３】
2020171395.tif 000005
【図４】
2020171395.tif 000006
【図５】
2020171395.tif 000007
【図６】
2020171395.tif 000008
【図７】
2020171395.tif 000009
【図８】
2020171395.tif 000010
【図９】
2020171395.tif 000011
【図１０】
2020171395.tif 000012
【図１１】
2020171395.tif 000013